(57)【要約】      （修正有）【課題】必要に応じて背もたれの角度を調整できるオフィスチェアを提供する。【解決手段】オフィスチェアは、シート１０及び背もたれ２０を有し、該シート１０は、下座部１１と、上座部１２と、角度調整装置と、回転軸１４と、回動軸１５を備え、該上座部１２は、移動可能に下座部１１に取り付けられ、該角度調整装置は、下座部１１の内部に設置され、該回転軸１４は、角度調整装置と連接するように下座部１１に設置されると共に、その両端が下座部１１から突出し、該回動軸１５は、回転軸１４と平行すると共に、その両端が上座部１２突出するように上座部１４に設置され、該背もたれ２０は、後側にリクライニング可能に該シート１０に取り付けられ、背板２１及び２本の連接柱２２を備え、該背板２１は、シート１０の後側に設置され、該２本の連接柱２２は、背板２１の両側に取り付けられると共に、該各連接柱２２は、回転軸１４に固定されて枢転可能に回動軸１５に枢設され、背もたれの角度を調整することができる。【選択図】図１
0003207407.tif 000002
【実用新案登録請求の範囲】
【請求項１】
下座部と、上座部と、角度調整装置と、回転軸と、回動軸を備え、該下座部の内部に装着空間が形成され、該下座部の上部に開口が形成され、該上座部は、下座部の開口をカバーするように移動可能に下座部に取り付けられ、該角度調整装置は、下座部の装着空間に設置され、該回転軸は、角度調整装置と連接するように下座部に設置されると共に、その両端が下座部から突出し、該回動軸は、回転軸と平行すると共に、その両端が上座部から突出するように上座部に設置される、シートと、
後側にリクライニング可能に前記シートに取り付けられ、背板及び２本の連接柱を備え、該背板は、シートの後側に設置され、該２本の連接柱は、背板の両側に取り付けられると共に、該各連接柱は、回転軸に固定されて、枢転可能に回動軸に枢設され、回転軸と回動軸との間にシート方向に延出部が設けられる、背もたれと、を有することを特徴とする、
オフィスチェア。
【請求項２】
前記角度調整装置は、受け部と、舌部と、ワイヤと、ばねを備え、そのうち、受け部の後側部分が回転軸に連接され、該受け部の前側部分に複数の係合穴が上下方向に沿ってそれぞれ間隔をおいて形成され、該舌部は、受け部の前側に位置するように下座部に設置されて、選択可能にそのうちの１つの係合穴に挿し込まれ、該ワイヤは、舌部と連接するように下座部の外部に延出し、該ばねの一端が下座部に、他端が舌部に当接するように設置されることを特徴とする請求項１に記載のオフィスチェア。
【請求項３】
前記回転軸は断面六辺形の軸であり、前記受け部に断面六辺形の貫通穴が形成され、該回転軸が受け部の貫通穴に貫設されることによって、該回転軸が受け部と連動することを特徴とする請求項２に記載のオフィスチェア。
【請求項４】
前記シートの下座部の内部に弾性装置が設置され、該弾性装置は、２つの弾性板及び２つの止め柱を備え、そのうち、２つの弾性板はそれぞれ、受け部の左側及び右側に間隔をおいて取り付けられ、該各弾性板の後端が下座部に固定されると共に、前端が自由端であり、該２つの止め柱はそれぞれ、２つの弾性板の下方に位置するように受け部の左側及び右側に取り付けられることを特徴とする請求項２または３に記載のオフィスチェア。
【請求項５】
前記シートにおける下座部の内部に弾性調整装置が設置され、該弾性調整装置は、調整軸と、２つの調節ブロックと、ねじり部を備え、そのうち、調整軸は、下座部の前側に位置するように回転可能に下座部に取り付けられ、該２つの調節ブロックはそれぞれ、２つの弾性板の前側上方に位置すると共に、該２つの弾性板に当接するように調整軸に環装され、前記各調節ブロックの表面に第一調整面及び第二調整面が設けられ、該ねじり部は、下座部の外部かつ調整軸の一端に取り付けられることを特徴とする請求項４に記載のオフィスチェア。
【請求項６】
前記シートの下座部の内部に制限装置が設置され、該制限装置は、２つの制限部材を含み、該２つの制限部材が２つの止め柱の上方に位置するように下座部に取り付けられることを特徴とする請求項５に記載のオフィスチェア。
【考案の詳細な説明】
【技術分野】
【０００１】
本考案は、特に実際の必要に応じて背もたれの角度を調整することができるチェアに関するものである。
【背景技術】
【０００２】
既存のオフィスチェアは、座り心地をよりよくするために、背もたれにリクライニング機能が付いており、使用者の必要に応じて所望の角度まで倒して位置決めすることができる。また、その背もたれは、シートの座板に連接され、該座板の下方に回転盤を有し、該回転盤と座板との間に回動装置及びロック装置が取り付けられ、前記背もたれが回転装置の軸に連接され、該回転装置によって背もたれを倒れて所望の角度まで調整し、そのあと、前記ロック装置によって背もたれを位置決めて調整した角度に維持させる。
【考案の概要】
【考案が解決しようとする課題】
【０００３】
しかしながら、既存のオフィスチェアにおいては、背もたれを倒して所望の角度まで調整した時、座板における回転装置の軸の前側部分が持ち上げられると共に、該軸の後側部分が押し下げられることから、体の重心が後ろに移動して転倒しそうな感覚となり、不安定な状態に感じるので、座り心地が悪いという欠点があった。
【課題を解決するための手段】
【０００４】
本考案のオフィスチェアは、下座部と、上座部と、角度調整装置と、回転軸と、回動軸を備え、該下座部の内部に装着空間が形成され、該下座部の上部に開口が形成され、該上座部は、下座部の開口をカバーするように移動可能に下座部に取り付けられ、該角度調整装置は、下座部の装着空間に設置され、該回転軸は、角度調整装置と連接するように下座部に設置されると共に、その両端が下座部から突出し、該回動軸は、回転軸と平行すると共に、その両端が上座部から突出するように上座部に設置される、シートと、後側にリクライニング可能に前記シートに取り付けられ、背板及び２本の連接柱を備え、該背板は、シートの後側に設置され、該２本の連接柱は、背板の両側に取り付けられると共に、該各連接柱は、回転軸に固定されて、枢転可能に回動軸に枢設され、回転軸と回動軸との間にシート方向に延出部が設けられる、背もたれとを有するものである。
【０００５】
かかるオフィスチェアにおいて、前記角度調整装置は、受け部と、舌部と、ワイヤと、ばねを備え、そのうち、受け部の後側部分が回転軸に連接され、該受け部の前側部分に複数の係合穴が上下方向に沿ってそれぞれ間隔をおいて形成され、該舌部は、受け部の前側に位置するように下座部に設置されて、選択可能にそのうちの１つの係合穴に挿し込まれ、該ワイヤは、舌部と連接するように下座部の外部に延出し、該ばねの一端が下座部に、他端が舌部に当接するように設置されることが好ましい。
【０００６】
かかるオフィスチェアにおいて、前記回転軸は断面六辺形の軸であり、前記受け部に断面六辺形の貫通穴が形成され、該回転軸が受け部の貫通穴に貫設されることによって、該回転軸が受け部と連動することが好ましい。
【０００７】
かかるオフィスチェアにおいて、前記シートの下座部の内部に弾性装置が設置され、該弾性装置は、２つの弾性板及び２つの止め柱を備え、そのうち、２つの弾性板はそれぞれ、受け部の左側及び右側に間隔をおいて取り付けられ、該各弾性板の後端が下座部に固定されると共に、前端が自由端であり、該２つの止め柱はそれぞれ、２つの弾性板の下方に位置するように受け部の左側及び右側に取り付けられることが好ましい。
【０００８】
かかるオフィスチェアにおいて、前記シートにおける下座部の内部に弾性調整装置が設置され、該弾性調整装置は、調整軸と、２つの調節ブロックと、ねじり部を備え、そのうち、調整軸は、下座部の前側に位置するように回転可能に下座部に取り付けられ、該２つの調節ブロックはそれぞれ、２つの弾性板の前側上方に位置すると共に、該２つの弾性板に当接するように調整軸に環装され、前記各調節ブロックの表面に第一調整面及び第二調整面が設けられ、該ねじり部は、下座部の外部かつ調整軸の一端に取り付けられることが好ましい。
【０００９】
かかるオフィスチェアにおいて、前記シートの下座部の内部に制限装置が設置され、該制限装置は、２つの制限部材を含み、該２つの制限部材が２つの止め柱の上方に位置するように下座部に取り付けられることが好ましい。
【考案の効果】
【００１０】
本考案のオフィスチェアにおいて、背もたれを後側へ倒すと、２本の連接柱が回転軸と連動して回転すると共に、シート方向の延出部が上座部を下座部に対して後側上方へ移動させる。これによれば、背もたれを倒して調整しても安定し、転倒しそうな感じを生じないと共に、座り心地も非常によくなる。また、前記シートは、下座部及び上座部を備える簡単な構造からなるため、全体の体積が従来技術よりも縮小すると共に、組み立てもし易くなる。
【図面の簡単な説明】
【００１１】
【図１】本考案に係るオフィスチェアの下面斜視図である。
【図２】本考案に係るオフィスチェアの側面図である。
【図３】本考案に係るオフィスチェアの背もたれを倒した状態を示す側面図である。
【図４】本考案に係るオフィスチェアにおいて、上座部を省いた状態を示す部分斜視図である。
【図５】図４の平面図である。
【図６】図５のＡ−Ａ線の側面断面図である。
【図７】本考案に係るオフィスチェアにおける調節ブロック及び弾性板を示す部分断面図である。
【考案を実施するための形態】
【００１２】
図１及び図２に示すように、本考案に係るオフィスチェアの実施例は、シート１０及び背もたれ２０を有する。
【００１３】
図２及び図４に示すように、前記シート１０は、下座部１１と、上座部１２と、角度調整装置１３と、回転軸１４と、回動軸１５を備える。そのうち、下座部１１の内部に装着空間１６が形成されると共に、上部に開口が形成され、該上座部１２は、下座部１１の開口をカバーするように移動可能に下座部１１に取り付けられる。該角度調整装置１３は、下座部１１の装着空間１６に設置され、該回転軸１４は、両端が下座部１１から突出するように、角度調整装置１３と連接するように下座部１１に設置され、該回動軸１５は、回転軸１４と平行すると共に、その両端が上座部１２から突出するように上座部１２に設置される。
【００１４】
図２及び図３に示すように、前記背もたれ２０は、後側に倒すことができるシート１０に取り付けられると共に、背板２１及び２本の連接柱２２を備える。該背板２１は、シート１０の後側に設置され、該２本の連接柱２２は、背板２１の両側に取り付けられると共に、該各連接柱２２の下端における、回転軸１４と回動軸１５との間にシート１０方向に延出部２３が斜め上方に向って設けられる。前記連接柱２２が延出部２３を介して枢転可能に回動軸１５に枢設されて回転軸１４に固定される。
【００１５】
前記シート１０は、下座部１１及び上座部１２のみ備えた簡単な構造であるため、全体の体積を従来よりも軽減できると共に、組み立ても簡単である。また、図２及び図３に示すように、背もたれ２０を後側へ倒す時は、２本の連接柱２２が回転軸１４と連動して回転しながら回動軸１５に対して枢転し、この時、延出部２３が下座部１１と連動して回転軸１４に対してやや回転すると共に、延出部２３がシート１０に向かって斜め上方に伸びた構成であるため、延出部２３の運動によって上座部１２を後側上方へ移動させる。
すなわち、本考案のオフィスチェアは、従来のシートの上座部のように、前側が上方に移動して後側が下方に移動する状態とならない。そのため、背もたれ２０を倒して調整しても安定しており、不安定な感じはせず、座り心地も極めてよい。
【００１６】
図４乃至図６に示すように、前記角度調整装置１３は、受け部１３１と、舌部１３２と、ワイヤ１３４と、ばね１３５を備える。そのうち、受け部１３１の後側部分が回転軸１４に連接され、該受け部１３１の前側部分に複数の係合穴１３３が上下方向に沿ってそれぞれ間隔をおいて形成され、該舌部１３２は、受け部１３１の前側に位置するように下座部１１に設置されて、選択可能にそのうちの１つの係合穴１３３に挿し込まれる。該ワイヤ１３４は、舌部１３２と連接するように下座部１１の外部に延出し、該ばね１３５の一端は下座部１１に、他端は舌部１３２に当接するようにワイヤ１３４に環装される。
また、前記回転軸１４は、断面六辺形の横方向の軸であり、前記受け部１３１に断面六辺形の貫通穴が形成され、該回転軸１４が受け部１３１の貫通穴に貫設されることから、該受け部１３１が回転軸１４と連動することができる。この構成によれば、角度調整装置１３の部材が少なく構成も簡単であると共に、丈夫であるので、外力を受けたり、作用力が生じても問題はない。
【００１７】
前記角度調整装置１３を用いて所定の角度に固定する場合には、舌部１３２をばね１３５の付勢力により、そのうちの１つの受け部１３１に挿入すると、背もたれ２０を所定の角度に位置決め固定することができる。また、背もたれ２０の倒す角度を調整する時は、使用者がワイヤ１３４を引いて舌部１３２を係合穴１３３から引き出し、その後、背もたれ２０を回転軸１４との連動により回転させながら後側へ倒し、更に、受け部１３１及び回転軸１４を連動により回転させ、背もたれ２０を所望の角度に調整した後、ワイヤ１３４を放せば、舌部１３２をばね１３５の付勢力によって対応した係合穴１３３に挿入させてロックすることができる。この構成によれば、背もたれ２０を所望の角度に簡単に調整することができる。
【００１８】
図４及び図５に示すように、前記シート１０の下座部１１の内部に弾性装置３０が設置される。該弾性装置３０は、２つの弾性板３１及び２つの止め柱３２を備え、そのうち、２つの弾性板３１はそれぞれ、受け部１３１の左側及び右側に間隔をおいて取り付けられる。該各弾性板３１の後端が下座部１１に固定されると共に、前端が自由端であり、該２つの止め柱３２はそれぞれ、２つの弾性板３１の下方に位置するように受け部１３１の左側及び右側に取り付けられる。
【００１９】
前記背もたれ２０を倒して調整する時は、該背もたれ２０で回転軸１４を回転させると共に、該回転軸１４により受け部１３１を連動により回転させて、該受け部１３１の回転によって止め柱３２を持ち上げる。該止め柱３２が弾性板３１の下方からやや上方へ押圧することから、該弾性板３１の剛度によって背もたれ２０の支持強度（曲がりの難しさ、すなわち、背もたれ２０を硬くしたり柔らかくしたりすること）を自由に調整することができるので、座り心地がよくなる。
【００２０】
図４及び図５に示すように、前記シート１０における下座部１１の内部に弾性調整装置４０が設置され、該弾性調整装置４０は、調整軸４１と、２つの調節ブロック４２と、ねじり部４３を備える。そのうち、調整軸４１は、下座部１１の前側に位置するように回転可能に下座部１１に取り付けられ、該２つの調節ブロック４２はそれぞれ、２つの弾性板３１の前側上方に位置すると共に、該２つの弾性板３１に当接するように調整軸４１に環装される。
図７に示すように、前記各調節ブロック４２の表面に第一調整面４４及び第二調整面４５が設けられ、該ねじり部４３は、下座部１１の外部かつ調整軸４１の一端に取り付けられる。
【００２１】
上述したように、前記弾性調整装置４０を有すれば、背もたれ２０の支持強度を調整することができる。
図７に示すように、前記調節ブロック４２は、第一調整面４４及び第二調整面４５を備え、該第一調整面４４と調整軸４１の軸心との径方向距離は、第二調整面４５と調整軸４１の軸心の径方向距離よりも長い。よって、背もたれ２０の支持強度を調整する時、ねじり部４３を捻って調整軸４１を回すことにより調節ブロック４２を回転させ、該調節ブロック４２を、第一調整面４４を介して弾性板３１と接触させれば、調節ブロック４２が弾性板３１の自由端を大幅に押し下げ、弾性板３１の被押圧角度が大きくなるので、弾性板３１の剛度が高くなる。
一方、調節ブロック４２を、第二調整面４５を介して弾性板３１と接触させると、調節ブロック４２が弾性板３１の自由端を小幅に押し下げられ、弾性板３１の被押圧角度が小さくなるため、弾性板３１の剛度が小さくなる。故に、この構成によれば、弾性板３１の剛度（曲がり難さ）によって背もたれ２０の支持強度を調整することができる。
【００２２】
本考案のオフィスチェアには、前記弾性装置３０が２つの弾性板３１及び２つの止め柱３２を備えると共に、前記弾性調整装置４０が受け部１３１の両側にそれぞれ２つの調節ブロック４２を備えることから、受けた力を均一に分布させることができるので、安定した座り心地が得られる。
【００２３】
また、図４に示すように、前記シート１０の下座部１１の内部に制限装置５０が設置され、該制限装置５０は、２つの制限部材５１を含み、該２つの制限部材５１が２つの止め柱３２の上方に位置するように下座部１１に取り付けられる。
【００２４】
前記制限装置５０によって背もたれ２０の角度に制限を与え、背もたれ２０が倒れすぎてオフィスチェア全体が転倒することを防止する。また、背もたれ２０を倒して調整する時は、止め柱３２が受け部１３１と連動して回転し、該止め柱３２が制限部材５１に当接して最大角度になると、背もたれ２０の動きが阻止されてそれ以上倒れなくなることから、オフィスチェアが転倒することはない。
【００２５】
さらに、シート１０の下座部１１の底面に脚部６０を設置してもよく、２つの連接柱２２にそれぞれ取っ手７０を取り付けてもよい。
【符号の説明】
【００２６】
１０    シート
１１    下座部
１２    上座部
１３    角度調整装置
１３１  受け部
１３２  舌部
１３３  係合穴
１３４  ワイヤ
１３５  ばね
１４    回転軸
１５    回動軸
１６    装着空間
２０    背もたれ
２１    背板
２２    連接柱
２３    延出部
３０    弾性装置
３１    弾性板
３２    止め柱
４０    弾性調整装置
４１    調整軸
４２    調節ブロック
４３    ねじり部
４４    第一調整面
４５    第二調整面
５０    制限装置
５１    制限部材
６０    脚部
７０    取っ手
【図１】
0003207407.tif 000003
【図２】
0003207407.tif 000004
【図３】
0003207407.tif 000005
【図４】
0003207407.tif 000006
【図５】
0003207407.tif 000007
【図６】
0003207407.tif 000008
【図７】
0003207407.tif 000009